【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
光分解性ＵＶ吸収化合物またはポリマーを光安定化させる方法であって、シリコーン液体を前記光分解性化合物またはポリマーに光安定化量だけ付加する工程を含む、方法。
ここで、前記シリコーン液体は化学式(2)
2010538153.tif 000001
を持ち、ｘは６０〜１５０の範囲の整数であり、ｙは６〜３０の範囲の整数であり、ｘ：ｙの比は約１０：１〜約２０：１の範囲内であり、Ｘは化学式(3)
2010538153.tif 000002
を持ち、ｋとｌとは０またはｋとｌとの一方は１に等しく他方が０であり、Ｒはアルコキシ、Ｒ’は有機リンカーであり、ｌおよびｋはそれぞれゼロまたは１のいずれかであり、ｍは０〜約１０の範囲の整数であり、ｎは２〜約２０の範囲の整数である光安定化発色団である。
【請求項２】
光分解性ＵＶ吸収化合物またはポリマーを光安定化させる方法であって、
シリコーン液体を前記光分解性化合物またはポリマーに光安定化量だけ付加する工程を含む、方法。
ここで、前記シリコーン液体は、化学式(IV)
2010538153.tif 000003
の光安定化発色団置換直鎖状のランダム共重合体を含むものであり、
前記ランダム共重合体は、エンドキャップ（Ｅ）、複数のｍｅｒ（Ａ）単位、および複数のｍｅｒ（Ｂ）単位を含み、前記エンドキャップ（Ｅ）は、−Ｓｉ（ＣＨ3）3および−Ｓｉ（ＣＨ3）2（Ｘ）からなる群から独立して選択され、前記ｍｅｒ（Ａ）単位は−ＯＳｉ（ＣＨ2）2−であり、前記ｍｅｒ（Ｂ）単位は−ＯＳｉ（ＣＨ2）（Ｘ）−であり、前記ｍｅｒ（Ａ）：ｍｅｒ（Ｂ）の単位数の比は少なくとも１０：１であり、前記ｍｅｒ（Ａ）単位数およびｍｅｒ（Ｂ）単位数の合計は８０〜３００の範囲内であり、Ｘは化学式(6)
2010538153.tif 000004
で、Ｒはメトキシおよびエトキシからなる群から選択され、Ｒ’は有機リンカーであり、ｋとｌとは０またはｋとｌとの一方は１に等しく他方が０であり、ｍは０〜約１０の範囲の整数であり、ｎは２〜約２０の範囲の整数である光安定化発色団である。
【請求項３】
前記ｍｅｒ（Ａ）およびｍｅｒ（Ｂ）の単位数の合計は８０〜１５０の範囲内である、請求項２記載の方法。
【請求項４】
前記ｍｅｒ（Ａ）およびｍｅｒ（Ｂ）の単位数の合計は８０〜１２０の範囲内である、請求項３に記載の方法。
【請求項５】
ｍは１に等しく、前記有機リンカーは、ＣＨ２、ＣＨ２ＣＨ２、ＣＨ２ＣＨ２ＣＨ２、ＣＨ２ＣＨ（ＣＨ３）ＣＨ２、ＣＨ２Ｃ（ＣＨ３）２ＣＨ２、ＣＨ２ＯＣＨ２、ＣＨ２ＣＨ２ＯＣＨ２ＣＨ２、およびその混合物からなる群から選択される、請求項２に記載の方法。
【請求項６】
前記有機リンカーはＣＨ２Ｃ（ＣＨ３）２ＣＨ２である、請求項５に記載の方法。
【請求項７】
前記光分解性化合物は、ジベンゾイルメタン誘導体を含む、請求項２に記載の方法。
【請求項８】
前記ジベンゾイルメタン誘導体は、２−メチルジベンゾイルメタン、４−メチルジベンゾイルメタン、４−イソプロピルジベンゾイルメタン、４−ｔｅｒｔ−ブチルジベンゾイルメタン、２，４−ジメチルジベンゾイルメタン、２，５−ジメチルジベンゾイルメタン、４，４’−ジイソプロピルジベンゾイルメタン、４，４’−ジメトキシジベンゾイルメタン、４−ｔｅｒｔ−ブチル−４’−メトキシジベンゾイルメタン、２−メチル−５−イソプロピル−４’−メトキシジベンゾイルメタン、２−メチル−５−ｔｅｒｔ−ブチル−４’−メトキシジベンゾイルメタン、２，４−ジメチル−４’−メトキシジベンゾイルメタン、２，６−ジメチル−４−ｔｅｒｔ−ブチル−４’−メトキシジベンゾイルメタン、およびその組み合わせからなる群から選択される、請求項７に記載の方法。
【請求項９】
ｐ−アミノ安息香酸および塩およびその誘導体、アントラニル酸塩およびその誘導体、サリチル酸塩およびその誘導体、桂皮酸およびその誘導体、ジヒドロキシ桂皮酸およびその誘導体、ショウノウおよび塩およびその誘導体、トリヒドロキシ桂皮酸およびその誘導体、ジベンザールアセトンナフトールスルホン酸および塩およびその誘導体、ベンザールアセトフェノンナフトールスルホン酸および塩およびその誘導体、ジヒドロキシ−ナフトエ酸およびその塩、ナフタレンジカルボン酸、誘導体、二量体、オリゴマー、ポリマー、および塩およびその組み合わせ、ｏ−ヒドロキシジフェニルジスルホネートおよび塩およびその誘導体、ｐ−ヒドロキシジフェニルジスルホネートおよび塩およびその誘導体、クマリンおよびその誘導体、ジアゾール誘導体、キニーネ誘導体およびその塩、キノリン誘導体、ヒドロキシ置換ベンゾフェノン誘導体、メトキシ置換ベンゾフェノン誘導体、尿酸誘導体、ビロ尿酸誘導体、タンニン酸およびその誘導体、ヒドロキノン、ベンゾフェノン誘導体、１，３，５−トリアジン誘導体、フェニルジベンゾイミダゾールテトラスルホン酸塩および塩およびその誘導体、テレフタリリデンジカンフルスルホン酸および塩およびその誘導体、メチレンビス−ベンゾトリアゾリルテトラメチルブチルフェノールおよび塩およびその誘導体、ビス−エチルヘキシルオキシフェノールメトキシフェニルトリアジンおよび塩およびその誘導体、ジエチルアミノヒドロキシベンゾイルヘキシルベンゾエートおよび塩およびその誘導体、およびその組み合わせからなる群から選択された光活性化合物をさらに含む、請求項２に記載の方法。
【請求項１０】
ｘ：ｙの比は約１０：１である、請求項１記載の方法。
【請求項１１】
ｘは６０〜約１００の範囲の整数である、請求項１記載の方法。
【請求項１２】
ｘは約６０である、請求項１１記載の方法。
【請求項１３】
ｘは８０である、請求項１１記載の方法。
【請求項１４】
ｘは約１００である、請求項１１記載の方法。
【請求項１５】
ｍは１に等しく、前記有機リンカーは、ＣＨ２、ＣＨ２ＣＨ２、ＣＨ２ＣＨ２ＣＨ２、ＣＨ２ＣＨ（ＣＨ３）ＣＨ２、ＣＨ２Ｃ（ＣＨ３）２ＣＨ２、ＣＨ２ＯＣＨ２、ＣＨ２ＣＨ２ＯＣＨ２ＣＨ２、およびその混合物からなる群から選択される、請求項１に記載の方法。
【請求項１６】
前記有機リンカーはＣＨ２Ｃ（ＣＨ３）２ＣＨ２である、請求項１５に記載の方法。
【請求項１７】
前記光分解性ＵＶ吸収化合物は、ジベンゾイルメタン誘導体を含む、請求項１に記載の方法。
【請求項１８】
前記ジベンゾイルメタン誘導体は、２−メチルジベンゾイルメタン、４−メチルジベンゾイルメタン、４−イソプロピルジベンゾイルメタン、４−ｔｅｒｔ−ブチルジベンゾイルメタン、２，４−ジメチルジベンゾイルメタン、２，５−ジメチルジベンゾイルメタン、４，４’−ジイソプロピルジベンゾイルメタン、４，４’−ジメトキシジベンゾイルメタン、４−ｔｅｒｔ−ブチル−４’−メトキシジベンゾイルメタン、２−メチル−５−イソプロピル−４’−メトキシジベンゾイルメタン、２−メチル−５−ｔｅｒｔ−ブチル−４’−メトキシジベンゾイルメタン、２，４−ジメチル−４’−メトキシジベンゾイルメタン、２，６−ジメチル−４−ｔｅｒｔ−ブチル−４’−メトキシジベンゾイルメタン、およびその組み合わせからなる群から選択される、請求項１７に記載の方法。
【請求項１９】
ｐ−アミノ安息香酸および塩およびその誘導体、アントラニル酸塩およびその誘導体、サリチル酸塩およびその誘導体、桂皮酸およびその誘導体、ジヒドロキシ桂皮酸およびその誘導体、ショウノウおよび塩およびその誘導体、トリヒドロキシ桂皮酸およびその誘導体、ジベンザールアセトンナフトールスルホン酸および塩およびその誘導体、ベンザールアセトフェノンナフトールスルホン酸および塩およびその誘導体、ジヒドロキシ−ナフトエ酸およびその塩、ナフタレンジカルボン酸、誘導体、二量体、オリゴマー、ポリマー、および塩およびその組み合わせ、ｏ−ヒドロキシジフェニルジスルホネートおよび塩およびその誘導体、ｐ−ヒドロキシジフェニルジスルホネートおよび塩およびその誘導体、クマリンおよびその誘導体、ジアゾール誘導体、キニーネ誘導体およびその塩、キノリン誘導体、ヒドロキシ置換ベンゾフェノン誘導体、メトキシ置換ベンゾフェノン誘導体、尿酸誘導体、ビロ尿酸誘導体、タンニン酸およびその誘導体、ヒドロキノン、ベンゾフェノン誘導体、１，３，５−トリアジン誘導体、フェニルジベンゾイミダゾールテトラスルホン酸塩および塩およびその誘導体、テレフタリリデンジカンフルスルホン酸および塩およびその誘導体、メチレンビス−ベンゾトリアゾリルテトラメチルブチルフェノールおよび塩およびその誘導体、ビス−エチルヘキシルオキシフェノールメトキシフェニルトリアジンおよび塩およびその誘導体、ジエチルアミノヒドロキシベンゾイルヘキシルベンゾエートおよび塩およびその誘導体、およびその組み合わせからなる群から選択された光活性化合物をさらに含む、請求項１に記載の方法。
【請求項２０】
光分解性ＵＶ吸収化合物またはポリマーを光安定化させる方法であって、シリコーン液体を前記光分解性化合物またはポリマーに光安定化量だけ付加する工程を含む、方法。
ここで、前記シリコーン液体は化学式(2)
2010538153.tif 000005
を持ち、ｘは約１００であり、ｘ：ｙの比は約１０：１〜約１５：１の範囲内であり、Ｘは化学式(3)
2010538153.tif 000006
を持ち、ｋとｌとは０またはｋとｌとの一方は１に等しく他方が０であり、Ｒはメトキシまたはエトキシの群、Ｒ’はＣＨ２、ＣＨ２ＣＨ２、ＣＨ２ＣＨ２ＣＨ２、ＣＨ２ＣＨ（ＣＨ３）ＣＨ２、ＣＨ２Ｃ（ＣＨ３）２ＣＨ２、ＣＨ２ＯＣＨ２、ＣＨ２ＣＨ２ＯＣＨ２ＣＨ２、およびその混合物からなる群から選択される有機リンカーであり、ｍは０〜約１０の範囲の整数であり、ｎは２〜約２０の範囲の整数である光安定化発色団である。
【請求項２１】
光分解性ＵＶ吸収化合物またはポリマーに第２の光安定化剤を付加する工程をさらに含む、請求項１記載の方法。
【請求項２２】
前記第２の光安定化剤は、光安定化作用を提供するオクトクリレンである、請求項２１記載の方法。